(57)【要約】【課題】レバーハンドルの操作中に、明快で截然としたクリック感を得ることのできるシングルレバー水栓を提供する。【解決手段】シングルレバー水栓１０は、レバーハンドルの回動操作中に機能する回動クリック機構として、レバーガイド１５とともに回動し、その回動軌道の法線方向にのみ移動可能な回動クリック部材２０と、回動クリック部材２０の回動軌道に沿って設けられた回動ガイド面１８ｇと、回動クリック部材２０を回動ガイド面１８ｇに押圧するためレバーガイド１５に配設された板バネ１９と、回動クリック部材２０を係脱可能に嵌入させるため回動ガイド面１８ｇに設けられた周方向の長さの異なる複数の凹部１８ａ，１８ｂ，１８ｃ，１８ｄ，１８ｅと、を備えている。【選択図】図３
2008248540.tif 000002
【特許請求の範囲】
【請求項１】
筒状の水栓本体に収容されバルブ機構を有するカートリッジと、前記カートリッジに傾動および回動可能に設けられた弁体操作レバーと、前記カートリッジ上に装着され前記弁体操作レバーと共に回動するレバーガイドと、前記弁体操作レバーを操作するレバーハンドルと、を備えたシングルレバー水栓において、
前記レバーハンドルの回動操作中に機能する回動クリック機構として、
前記レバーガイドとともに回動し、その回動軌道の法線方向にのみ移動可能な回動クリック部材と、
前記回動クリック部材の回動軌道に沿って設けられた回動ガイド面と、
前記回動クリック部材を前記回動ガイド面に押圧するため前記レバーガイドに配設された板バネと、
前記回動クリック部材を係脱可能に嵌入させるため前記回動ガイド面に設けられた凹部と、を備えたことを特徴とするシングルレバー水栓。
【請求項２】
筒状の水栓本体に収容されバルブ機構を有するカートリッジと、前記カートリッジに傾動および回動可能に設けられた弁体操作レバーと、前記カートリッジ上に装着され前記弁体操作レバーと共に回動するレバーガイドと、前記弁体操作レバーを操作するレバーハンドルと、を備えたシングルレバー水栓において、
前記レバーハンドルの傾動操作中に機能する傾動クリック機構として、
前記レバーガイドの回動軸心と平行な方向にのみ移動可能に配置された傾動クリック部材と、
前記傾動クリック部材に当接して前記レバーハンドルとともに傾動可能に設けられた傾動ガイド面と、
前記傾動クリック部材を前記傾動ガイド面に押圧するため前記レバーガイドに配設された板バネと、
前記傾動クリック部材を係脱可能に嵌入させるため前記傾動ガイド面に設けられた凹部と、を備えたことを特徴とするシングルレバー水栓。
【請求項３】
前記回動クリック部材、前記傾動クリック部材として、前記レバーハンドルの回動中心線、傾動中心線と常に平行を保つようにロール材を配置した請求項１又は２記載のシングルレバー水栓。
【請求項４】
前記ロール材をその軸心回りに回転可能に保持したことを特徴とする請求項３記載のシングルレバー水栓。
【請求項５】
前記回動ガイド面に前記回動クリック部材の嵌入深さが異なる複数の前記凹部を設けた請求項１，３，４のいずれかに記載のシングルレバー水栓。
【請求項６】
前記回動クリック機構を、前記レバーハンドルの傾動領域面から離れた位置に設けた請求項１，３〜５のいずれかに記載のシングルレバー水栓。
【請求項７】
前記傾動クリック部材の位置を前記レバーガイドの回動軸心に直交する面内で、且つ、前記弁体操作レバーの傾動軌道の接線方向に変更可能とした請求項２，３，４のいずれかに記載のシングルレバー水栓。
【発明の詳細な説明】
【技術分野】
【０００１】
本発明は、レバーハンドルを回動、傾動操作する際にクリック感が得られる機能を備えたシングルレバー水栓に関する。
【背景技術】
【０００２】
一本のレバーハンドルを傾動、回動操作することにより、吐水・止水の切換、吐水量調節および水温調節を行うシングルレバー水栓においては、吐水量や吐水温度の急激な変化を防止し、止水時のウォータハンマを低減するため、レバーハンドルの操作中にクリック感が得られる機構を備えたものがある（例えば、特許文献１，２参照。）。
【０００３】
【特許文献１】特開平１１−２１９５８号公報
【特許文献２】特開２００４−９２２１７号公報
【発明の開示】
【発明が解決しようとする課題】
【０００４】
特許文献１記載のシングルレバー式水栓においては、クリック機構を構成する抵抗付与部材として線材が用いられているため、レバーハンドルを操作したときのクリック感が悪く、耐久性が劣ることがある。一方、特許文献２記載のシングルレバー混合水栓のクリック機構においては、球体とコイルスプリングとを組み合わせた抵抗付与手段が用いられているため、レバーハンドルを操作したときにコイルスプリングが横撓みすることがあり、クリック感が悪い。
【０００５】
本発明が解決しようとする課題は、レバーハンドルの操作中に、明快で截然としたクリック感を得ることのできるシングルレバー水栓を提供することにある。
【課題を解決するための手段】
【０００６】
本発明のシングルレバー水栓は、筒状の水栓本体に収容されバルブ機構を有するカートリッジと、前記カートリッジに傾動および回動可能に設けられた弁体操作レバーと、前記カートリッジ上に装着され前記弁体操作レバーと共に回動するレバーガイドと、前記弁体操作レバーを操作するレバーハンドルと、を備えたシングルレバー水栓において、
前記レバーハンドルの回動操作中に機能する回動クリック機構として、
前記レバーガイドとともに回動し、その回動軌道の法線方向にのみ移動可能な回動クリック部材と、
前記回動クリック部材の回動軌道に沿って設けられた回動ガイド面と、
前記回動クリック部材を前記回動ガイド面に押圧するため前記レバーガイドに配設された板バネと、
前記回動クリック部材を係脱可能に嵌入させるため前記回動ガイド面に設けられた凹部と、を備えたことを特徴とする。
【０００７】
このような構成とすれば、レバーハンドルを回動させたとき、回動クリック部材は板バネの弾性力で回動ガイド面に押圧された状態を保ちながらレバーガイドとともに回動し、回動クリック部材が凹部に到達すると回動クリック部材は板バネの弾性力で瞬時に当該凹部に嵌入するため、明快なクリック感が得られる。また、回動クリック部材と板バネとは別部材であるため回動クリック部材の回動中に板バネの横撓みが発生せず、回動クリック部材はその回動軌道の法線方向にのみ移動可能であるため、回動クリック部材が凹部に到達すると同時に瞬時に凹部へ嵌入し、截然としたクリック感を得ることができる。
【０００８】
また、本発明のシングルレバー水栓は、筒状の水栓本体に収容されバルブ機構を有するカートリッジと、前記カートリッジに傾動および回動可能に設けられた弁体操作レバーと、前記カートリッジ上に装着され前記弁体操作レバーと共に回動するレバーガイドと、前記弁体操作レバーを操作するレバーハンドルと、を備えたシングルレバー水栓において、
前記レバーハンドルの傾動操作中に機能する傾動クリック機構として、
前記レバーガイドの回動軸心と平行な方向にのみ移動可能に配置された傾動クリック部材と、
前記傾動クリック部材に当接して前記レバーハンドルとともに傾動可能に設けられた傾動ガイド面と、
前記傾動クリック部材を前記傾動ガイド面に押圧するため前記レバーガイドに配設された板バネと、
前記傾動クリック部材を係脱可能に嵌入させるため前記傾動ガイド面に設けられた凹部と、を備えたことを特徴とする。
【０００９】
このような構成とすれば、レバーハンドルを傾動させたとき、板バネの弾性力で傾動クリック部材が傾動ガイド面に押圧された状態を保ちながらレバーハンドルとともに傾動ガイド面が傾動し、傾動ガイド面の凹部が傾動クリック部材に到達すると傾動クリック部材は板バネの弾性力で瞬時に当該凹部に嵌入するため、明快なクリック感が得られる。また、傾動クリック部材と板バネとは別部材であるためレバーハンドルの傾動中（傾動ガイド面の傾動中）に板バネの横撓みが発生せず、傾動クリック部材は前記レバーガイドの回動軸心と平行な方向にのみ移動可能であるため凹部に到達すると同時に瞬時に凹部に嵌入し、截然としたクリック感を得ることができる。
【００１０】
ここで、前記回動クリック部材、前記傾動クリック部材として、前記レバーハンドルの回動中心線、傾動中心線と常に平行を保つようにロール材を配置することが望ましい。このような構成とすれば、回動クリック部材、傾動クリック部材として配置されたロール材はそれぞれ回動ガイド面、傾動ガイド面と線接触した状態となるため、レバーハンドルの回動中及び傾動中のロール材の姿勢が安定するとともに、安定姿勢から瞬時に凹部に嵌入されるため、クリック感が向上する。
【００１１】
この場合、前記ロール材をその軸心回りに回転可能に保持することが望ましい。このような構成とすれば、レバーハンドルを回動、傾動させたとき、回動クリック部材、傾動クリック部材として配置されたロール材が軸心回りに回転するので、レバーハンドルの回動操作性、傾動操作性が円滑となる。
【００１２】
また、前記回動ガイド面に前記回動クリック部材の嵌入深さが異なる複数の前記凹部を設ければ、回動クリック部材が凹部に嵌入したり、離脱したりするときのクリック感が凹部ごとに異なるようになるため、使用者は、レバーハンドルの回動角度と吐水温度との関係を容易に把握することができる。
【００１３】
一方、前記回動クリック機構は、前記レバーハンドルの傾動領域面から離れた位置に設けることが望ましい。このような構成とすれば、レバーハンドルの傾動操作中に加えられた力を受けるレバーガイドは、レバーハンドルの傾動操作中に加えられる力に対する剛性が高まり、前記カートリッジに過負荷が加わるのを回避することができるため、カートリッジの損傷を防止することができ、水栓として安全である。
【００１４】
さらに、前記傾動クリック部材の位置を前記レバーガイドの回動軸心に直交する面内で、且つ、前記弁体操作レバーの傾動軌道の接線方向に変更可能とすることもできる。このような構成とすれば、傾動クリック部材の位置を前記レバーガイドの回動軸心に直交する面内で、且つ、前記弁体操作レバーの傾動軌道の接線方向に移動させ、傾動クリック部材が傾動ガイド面の凹部に嵌入する位置を変更することにより、レバーハンドルを傾動させたときにクリック感が生じる位置を変更することができる。このため、給水源から供給される水道水の水圧等、各現場によって異なる施工条件に適合するクリック位置、また、各使用者がそれぞれ最も使いやすいクリック位置を設定することができる。
【発明の効果】
【００１５】
レバーハンドルの操作中に、明快で截然としたクリック感を得ることのできるシングルレバー水栓を提供することができる。
【発明を実施するための最良の形態】
【００１６】
以下、図面に基づいて、本発明の実施の形態について説明する。図１は本発明の実施の形態であるシングルレバー水栓を示す斜視図、図２は前記シングルレバー水栓の側面図、図３は図２におけるＡ−Ａ線断面図、図４は前記シングルレバー水栓の分解斜視図、図５は図４の一部拡大図、図６は前記シングルレバー水栓の一部切欠斜視図、図７は前記シングルレバー水栓を構成するレバーハンドルの一部切欠側面図、図８は前記シングルレバー水栓を構成するカートリッジおよびレバーガイド等を示す斜視図、図９は前記シングルレバー水栓を構成するレバーガイド等を示す正面図、図１０は前記シングルレバー水栓を構成する溝付きリングの平面図である。
【００１７】
図１〜図７に示すように、本実施形態のシングルレバー水栓１０においては、レバーハンドル１６の操作により湯水混合水を吐出する吐水口１１を有する筒状の水栓本体１２内にバルブ機構を有するカートリッジ１３が収容され、このカートリッジ１３の上面に弁体操作レバー１４が傾動および回動可能に設けられている。カートリッジ１３上には、弁体操作レバー１４と共に回動するレバーガイド１５が装着され、弁体操作レバー１４を回動操作及び傾動操作するためのレバーハンドル１６が弁体操作レバー１４の上端部に連結されている。レバーハンドル１６を前後に傾動させることによって吐水口１１からの吐水、止水の切り換えを行い、レバーハンドル１６を回動させることによって吐水口１１から吐出される混合水の温度調節を行う。
【００１８】
水栓本体１２内に収容されたカートリッジ１３はカートリッジ押さえ１７で水栓本体１２に固定され、カートリッジ押さえ１７の上部開口に溝付きリング１８が装入され、この溝付きリング１８内にレバーガイド１５が回動可能に配置されている。そして、レバーガイド１５の中央に開設された貫通部１５ａから突出する弁体操作レバー１４の上端部１４ａに、レバーハンドル１６のスカート部１６ａ内に設けられた連結部１６ｂを被せるように取り付け、スカート部１６ａの作業孔１６ｄを経由してネジ孔１６ｃに挿入したネジ（図示せず）を締め付けることによってレバーハンドル１６が弁体操作レバー１４に固定される。
【００１９】
カートリッジ押さえ１７の内面および溝付きリング１８の外面にはそれぞれスプライン溝１７ｓ，１８ｓが形成されており、カートリッジ押さえ１７内に溝付きリング１８を装入したとき、これらのスプライン溝１７ｓ，１８ｓが互いに嵌合することにより、溝付きリング１８がカートリッジ押さえ１７内に固定される。
【００２０】
以下、シングルレバー水栓１０のレバーハンドル１６を回動操作するときに機能する回動クリック機構について説明する。
【００２１】
図５に示すように、レバーガイド１５の外周の一部に、その周方向に沿って略円弧状凹部１５ｂが開設され、この略円弧状凹部１５ｂの中央付近には、回動クリック部材２０を保持するための溝部１５ｃが当該略円弧状凹部１５ｂと直交する方向に形成されている。略円弧状凹部１５ｂ内にはその形状に沿って略Ｗ形状の板バネ１９が収容され、板バネ１９と交差するような姿勢で回動クリック部材２０が溝部１５ｃに配置され、この状態でレバーガイド１５の下部が溝付きリング１８内に配置される。この状態では、図３に示すように、板バネ１９の中央の押圧部１９ａに当接した回動クリック部材２０は、板バネ１９の弾性により、溝付きリング１８の内周面に設けられた回動ガイド面１８ｇに向かって押圧されている。
【００２２】
図３，図１０に示すように、溝付きリング１８の回動ガイド面１８ｇには、周方向の長さが異なる複数の凹部１８ａ，１８ｂ，１８ｃ，１８ｄ，１８ｅが形成されている。これらの凹部１８ａ，１８ｂ，１８ｃ，１８ｄ，１８ｅは、溝付きリング１８の軸方向と平行をなす溝形状に形成されている。図３に示すように、回動クリック部材２０は、板バネ１９の弾性により、凹部１８ａ，１８ｂ，１８ｃ，１８ｄ，１８ｅのいずれかに選択的に嵌入可能である。
【００２３】
従って、シングルレバー水栓１０のレバーハンドル１６を回動させると、回動クリック部材２０は板バネ１９の弾性力で回動ガイド面１８ｇに押圧された状態を保ちながらレバーガイド１５とともに回動ガイド面１８ｇに沿って回動する。そして、回動クリック部材２０が凹部１８ａ，１８ｂ，１８ｃ，１８ｄ，１８ｅのいずれかの位置に到達すると、回動クリック部材２０は板バネ１９の弾性力で瞬時に凹部１８ａ，１８ｂ，１８ｃ，１８ｄ，１８ｅのいずれかに嵌入するため、明快なクリック感が得られる。
【００２４】
また、回動クリック部材２０と板バネ１９とは別部材であるため回動クリック部材２０の回動中に板バネ１９の横撓みが発生せず、回動クリック部材２０はその回動軌道の法線方向（溝付きリング１８の半径方向）にのみ移動可能である。このため、回動クリック部材２０が凹部１８ａ，１８ｂ，１８ｃ，１８ｄ，１８ｅに到達すると同時に瞬時に凹部１８ａ，１８ｂ，１８ｃ，１８ｄ，１８ｅへ嵌入し、截然としたクリック感を得ることができる。
【００２５】
また、図３，図５に示すように、回動クリック部材２０としてロール材を用い、レバーハンドル１６の回動中心線（本実施形態ではレバーガイド１５の回動軸心１２ｃ）とロール材の軸心とが常に平行を保つように配置している。従って、回動クリック部材２０は回動ガイド面１８ｇと線接触した状態となるため、レバーハンドル１６の回動中の回動クリック部材２０の姿勢が安定しており、安定姿勢にある回動クリック部材２０が瞬時に凹部１８ａ，１８ｂ，１８ｃ，１８ｄ，１８ｅに嵌入されるため、クリック感が良好である。
【００２６】
また、回動クリック部材２０を溝部１５ｃに収容することより、回動クリック部材２０はその軸心回りに回転可能に保持されているため、レバーハンドル１６を回動させたとき、回動クリック部材２０は、その軸心回りに回転可能であり、レバーハンドル１６の回動操作も円滑に行うことができる。
【００２７】
さらに、凹部１８ａ，１８ｂ，１８ｃ，１８ｄ，１８ｅの周方向の長さはそれぞれ異なるため、凹部１８ａ，１８ｂ，１８ｃ，１８ｄ，１８ｅに対する回動クリック部材２０の嵌入深さはそれぞれ異なっている。従って、回動クリック部材２０が凹部１８ａ，１８ｂ，１８ｃ，１８ｄ，１８ｅに嵌入したり、離脱したりするときのクリック感が凹部１８ａ，１８ｂ，１８ｃ，１８ｄ，１８ｅごとに異なっている。即ち、本実施形態においては、周方向長さが最大の凹部１８ａに回動クリック部材２０が嵌入、離脱するときのクリック感が最大であり、周方向長さが最小の凹部１８ｅに回動クリック部材２０が嵌入、離脱するときのクリック感は最小であり、周方向の長さが大きいほどクリック感が大きくなる。従って、使用者は、レバーハンドル１６を回動させたときのクリック感の相違により、レバーハンドル１６の回動角度と吐水温度との関係を容易に把握することができる。また使用者は、クリック感の相違により、レバーハンドル１６の回動限度位置を推し量ることができ、レバーハンドル１６を回動限度位置以上に回動させようとすることに起因するカートリッジ１３への過負荷を防止することができる。
【００２８】
一方、本実施形態において、回動クリック機構を構成する回動クリック部材２０、回動ガイド面１８ｇ、板バネ１９及び凹部１８ａ，１８ｂ，１８ｃ，１８ｄ，１８ｅは、後述する、レバーハンドル１６の傾動領域面から離れた位置である、レバーガイド１５の側方位置に設けている。従って、レバーハンドル１６の傾動操作中に加えられた力を受けるレバーガイド１５は、レバーハンドル１６の傾動操作中に加えられる力に対する剛性が確保され、カートリッジ１３に負荷が加わるのを回避することができるため、カートリッジ１３の損傷を防止することができ、水栓として安全である。
【００２９】
次に、シングルレバー水栓１０のレバーハンドル１６を傾動操作するときに機能する傾動クリック機構について説明する。
【００３０】
図４，図５に示すように、レバーガイド１５の上面には位置調整用スライダ２１の複数の脚部２１ａを収容するための収容部１５ｄが形成され、収容部１５ｄ内に収容された脚部２１ａと螺合する雄ねじ部２２ｂを有する位置調整ネジ２２が、収容部１５ｄに連通する孔部１５ｅに回動可能に挿入される。位置調整ネジ２２のヘッド部２２ｃを回動させることにより位置調整用スライダ２１を収容部１５ｄの範囲内で位置調整ネジ２２の軸方向に移動させることができる。ここで、位置調整ネジ２２の軸方向は、レバーガイド１５の回動軸心１２ｃに直交する面内で、且つ、弁体操作レバー１４の傾動軌道の接線方向となっている。また、移動方法をネジ構造としているため、非常に狭い間隔で移動距離を規定することができる。そして、レバーガイド１５の上面に収容部１５ｄに隣接し且つ孔部１５ｅと交差するように設けられたスリット部１５ｆ内に留め具２３を挿入し、ヘッド部２２ｃと雄ねじ部２２ｂとの間に形成された四角柱状のネック部２２ａを二つの脚部２３ａで挟持すると、位置調整ネジ２２が回転不能に係止され、位置調整用スライダ２１の位置が規定される。
【００３１】
位置調整用スライダ２１の上面に設けられた断面長円形の軸受孔２１ｃに傾動クリック部材２５の長軸部２５ａがその軸心回りに回転自在且つ昇降可能に挿入され、傾動クリック部材２５の短軸部２５ｂが、板バネ２４の平面部２４ａによって保持されている。板バネ２４は略コ字状であり、その平面部２４ａを上にした状態で凹部２１ｂ内に配置されている。傾動クリック部材２５の長軸部２５ａと短軸部２５ｂとの間には鍔部２５ｃが形成されている。
【００３２】
一方、図６，図７に示すように、レバーハンドル１６のスカート部１６ａ内に設けられた連結部１６ｂの下縁部には、傾動クリック部材２５の短軸部２５ｂ（図５参照）に当接した状態でレバーハンドル１６とともに傾動可能な傾動ガイド面１６ｅが設けられ、この傾動ガイド面１６ｅの一部に傾動クリック部材２５を係脱可能に嵌入させるための凹部１６ｆが設けられている。この傾動ガイド面１６ｅは弁体操作レバー１４の傾動軌道に沿って形成されている。
【００３３】
図６に示すように、弁体操作レバー１４にレバーハンドル１６が取り付けられた状態において、傾動クリック部材２５は、レバーガイド１５の回動軸心１２ｃに平行な方向にのみ移動可能に配置され、この傾動クリック部材２５は板バネ２４の弾性力により傾動ガイド面１６ｅに向かって押圧されている。
【００３４】
図６に示す状態おいて、レバーハンドル１６を前後に傾動させると、板バネ２４の弾性力で傾動クリック部材２５が傾動ガイド面１６ｅに押圧された状態を保ちながらレバーハンドル１６とともに傾動ガイド面１６ｅが傾動する。そして、傾動ガイド面１６ｅの凹部１６ｆが傾動クリック部材２５の短軸部２５ｂ（図５参照）の位置に到達すると、傾動クリック部材２５は板バネ２４の弾性力で瞬時に当該凹部１６ｆに嵌入するため、明快なクリック感が得られる。
【００３５】
また、傾動クリック部材２５と板バネ２４とは別部材であるためレバーハンドル１６の傾動による傾動ガイド面１６ｅの傾動中に板バネ２４の横撓みが発生せず、傾動クリック部材２５はその傾動軌道の法線方向にのみ移動可能である。このため、傾動クリック部材２５の短軸部２５ｂが凹部１６ｆに到達すると同時に瞬間的に凹部１６ｆに嵌入し、截然としたクリック感を得ることができる。
【００３６】
傾動クリック部材２５は鍔部２５ｃを有するロール材であり、レバーハンドル１６の傾動中心線（本実施形態では弁体操作レバー１４の傾動中心線）に対して傾動クリック部材２５の軸心が平行をなすように配置されている。従って、傾動クリック部材２５は傾動ガイド面１６ｅと線接触した状態となり、傾動クリック部材２５の姿勢が安定しており、安定姿勢から瞬時に凹部１６ｆに嵌入されるため、クリック感が良好である。なお、傾動クリック部材２５の鍔部２５ｃは、傾動ガイド面１６ｅの側縁部及び板バネ２４の側面部と、軸受孔２１ｃの側面部との間に配置されているため、回動中の傾動クリック部材２５の位置と軸心を安定保持する上で有効である。
【００３７】
また、傾動クリック部材２５はその軸心回りに回転可能に保持されているため、レバーハンドル１６を傾動させたとき傾動クリック部材２５が軸心回りに回転可能である。このため、レバーハンドル１６の傾動操作も円滑に行うことができる。
【００３８】
さらに、図５で示したように、レバーガイド１５のスリット部１５ｆから留め具２３を取り出し、位置調整ネジ２２のヘッド部２２ｃを回動させて、位置調整用スライダ２１を位置調整ネジ２２の軸方向に移動させることにより、傾動クリック部材２５の保持位置を位置調整ネジ２２の軸方向に沿って変更することができる。これにより、傾動クリック部材２５が傾動ガイド面１６ｅの凹部１６ｆに嵌入する位置が変わるため、レバーハンドル１６を傾動させたときにクリック感が生じる位置を変更することができる。従って、シングルレバー水栓１０の施工現場で位置調整ネジ２２を回動させることにより、設置場所に適した、且つ、各使用者に合わせた傾動方向のクリック位置を設定することができる。
【産業上の利用可能性】
【００３９】
本発明のシングルレバー水栓は、一般家庭や公共施設の洗面所、トイレなどにおいて広く利用することができる。
【図面の簡単な説明】
【００４０】
【図１】本発明の実施の形態であるシングルレバー水栓を示す斜視図である。
【図２】図１に示すシングルレバー水栓の側面図である。
【図３】図２におけるＡ−Ａ線断面図である。
【図４】図１に示すシングルレバー水栓の分解斜視図である。
【図５】図４の一部拡大図である。
【図６】図１に示すシングルレバー水栓の一部切欠斜視図である。
【図７】図１に示すシングルレバー水栓を構成するレバーハンドルの一部切欠側面図である。
【図８】図１に示すシングルレバー水栓を構成するカートリッジおよびレバーガイド等を示す斜視図である。
【図９】図１に示すシングルレバー水栓を構成するレバーガイド等を示す正面図である。
【図１０】図１に示すシングルレバー水栓を構成する溝付きリングの平面図である。
【符号の説明】
【００４１】
１０  シングルレバー水栓
１１  吐水口
１２  水栓本体
１２ｃ  軸心
１３  カートリッジ
１４  弁体操作レバー
１４ａ  上端部
１５  レバーガイド
１５ａ  貫通部
１５ｂ  略円弧状凹部
１５ｃ  溝部
１５ｄ  収容部
１５ｅ  孔部
１５ｆ  スリット部
１６  レバーハンドル
１６ａ  スカート部
１６ｂ  連結部
１６ｃ  ネジ孔
１６ｄ  作業孔
１６ｅ  傾動ガイド面
１６ｆ，１８ａ，１８ｂ，１８ｃ，１８ｄ，１８ｅ，２１ｂ  凹部
１７  カートリッジ押さえ
１７ｓ，１８ｓ  スプライン溝
１８  溝付きリング
１８ｇ  回動ガイド面
１９，２４  板バネ
１９ａ，２４ａ  平面部
２０  回動クリック部材
２１  位置調整スライダ
２１ａ，２３ａ  脚部
２１ｃ  軸受孔
２２  位置調整ネジ
２２ａ  ネック部
２２ｂ  雄ネジ部
２２ｃ  ヘッド部
２３  留め具
２５  傾動クリック部材
２５ａ  長軸部
２５ｂ  短軸部
２５ｃ  鍔部
【図１】
2008248540.tif 000003
【図２】
2008248540.tif 000004
【図３】
2008248540.tif 000005
【図４】
2008248540.tif 000006
【図５】
2008248540.tif 000007
【図６】
2008248540.tif 000008
【図７】
2008248540.tif 000009
【図８】
2008248540.tif 000010
【図９】
2008248540.tif 000011
【図１０】
2008248540.tif 000012